(57)【特許請求の範囲】
【請求項１】
光画像を停止画像を表すディジタル電気信号に変換する手段と、
音声を電気信号に変換する手段と、
無線電話システムにより受信された電磁気信号を受信する手段と、
前記電磁気信号を停止画像を表すディジタル電気信号に変調する手段と、
前記変換手段あるいは変調手段から出力されるディジタル電気信号に基づいて停止画像を選択的に表示する手段と、
組合せ信号を生成するために前記ディジタル信号と前記電気信号とを組み合わせる手段と、
無線電話システムで特定電話番号を利用して遠隔装置を指定するための手段と、
画像信号受信機能がない遠隔装置に該当する特定電話番号を少なくとも一つ以上貯蔵する手段と、
前記特定電話番号と前記貯蔵された特定電話番号とが一致する場合、前記ディジタル電気信号と前記電気信号との組合せを防止する手段と、
を含む遠隔通信可能なディジタルスチルカメラ。
【請求項２】
前記変換手段あるいは変調手段から出力されるディジタル電気信号を選択的に貯蔵する手段をさらに含む請求項１記載の遠隔通信可能なディジタルスチルカメラ。
【請求項３】
前記表示手段は背面照明がない反射形態のカラー液晶装置を含む請求項１記載の遠隔通信可能なディジタルスチルカメラ。
【請求項４】
前記ディジタルスチルカメラと一体である無線電話システムによって形成された電磁気信号に応じて前記受信手段を自動作動させる手段をさらに含む請求項１記載の遠隔通信可能なディジタルスチルカメラ。
【請求項５】
前記受信手段によって受信された無線電話システムによって形成された電磁気信号に応じて音声信号を発声するスピーカーをさらに含む請求項１記載の遠隔通信可能なディジタルスチルカメラ。
【請求項６】
前記受信手段により受信した電磁気信号が停止画像信号または音声信号を表すように前記表示手段を制御する手段をさらに含む請求項５記載の遠隔通信可能なディジタルスチルカメラ。
【請求項７】
前記受信手段により受信した電磁気信号に応じて前記スピーカーをもって音声信号を生成する第１モードから前記受信手段により受信した電磁気信号に応じて前記表示手段上に画像を表示する第２モードにスイッチングする手段をさらに含む請求項５記載の遠隔通信可能なディジタルスチルカメラ。
【請求項８】
第２モードで前記スピーカーが音声信号を生成しないようにする手段をさらに含む請求項７記載の遠隔通信可能なディジタルスチルカメラ。
【請求項９】
音声信号を含む電磁気信号から停止画像信号を含む電磁気信号を区別して自動に前記スイッチング手段を制御するための手段をさらに含む請求項７記載の遠隔通信可能なディジタルスチルカメラ。
【請求項１０】
前記スイッチング手段を手動で制御する手段をさらに含む請求項７記載の遠隔通信可能なディジタルスチルカメラ。
【請求項１１】
前記スピーカーを制御するために音声信号と停止画像信号を含む電磁気信号から音声信号成分を抽出する手段と、
前記表示手段を制御するために音声信号と停止画像信号を含む同一な電磁気信号から停止画像信号成分を抽出する手段をさらに含み、
前記表示手段は音声信号がスピーカーから生成される間、停止画像を表示できる遠隔通信可能な請求項５記載の遠隔通信可能なディジタルスチルカメラ。
【請求項１２】
音声を電磁音声信号に変換するマイクロホンと、
組合せ信号を生成するために停止画像を表す電磁信号と電磁音声信号を組み合わせる手段と、
無線電話システムによって形成された電磁気信号で組合せ信号を伝送する手段をさらに含み、
それによって停止画像を音声信号が伝送される間伝送できる請求項１１記載の遠隔通信可能なディジタルスチルカメラ。
【請求項１３】
前記変換手段に応じて停止画像を表すディジタル電気信号を貯蔵する手段をさらに含み、
前記組合せ手段が前記貯蔵手段に応じて組合せ作用前に変換された停止画像を表すディジタル電気信号を組合せる請求項１２記載の遠隔通信可能なディジタルスチルカメラ。
【請求項１４】
音声信号が伝送される間、前記変換手段が光画像を停止画像に表すディジタル電気信号に変換できる請求項１２記載の遠隔通信可能なディジタルスチルカメラ。
【請求項１５】
音声信号を電気音声信号に変換するマイクロホンを含み、
前記スピーカーとマイクロホンは近い位置にある使用者の耳と口に対して使うことができる近接モードと、遠く離れた使用者の耳と口に対して使うことができる遠隔モードを有する請求項５記載の遠隔通信可能なディジタルスチルカメラ。
【請求項１６】
前記表示手段を駆動するための手動スイッチをさらに含み、前記表示手段が手動スイッチによって駆動される場合、前記スピーカーとマイクロホンが自動的に遠隔モードに変換される請求項１５記載の遠隔通信可能なディジタルスチルカメラ。
【請求項１７】
前記光画像変換手段は、表示手段が観察できない所に位置する物体に向けられる請求項１記載の遠隔通信可能なディジタルスチルカメラ。
【請求項１８】
前記光画像変換手段は、選択的に表示手段が観察できる所に位置する物体に向けられる請求項１７記載の遠隔通信可能なディジタルスチルカメラ。
【請求項１９】
光画像を停止画像を表すディジタル電気信号に変換する手段と、
音声を電気音声信号に変換するマイクロホンと、
電気音声信号と停止画像を表す前記ディジタル電気信号のうちの一つを選択する手段と、
電話番号を有する遠隔装置を指定するために無線電話システムによって形成された電磁気信号を伝送する手段と、
停止画像信号または音声信号を含む無線電話システムによって形成された電磁気信号の形で前記選択手段によって選択された信号を指定遠隔装置に伝送する手段と、
画像信号受信機能がない遠隔装置に該当する特定電話番号を少なくとも一つ以上貯蔵する手段と、
遠隔装置を指定する電話番号が前記貯蔵された特定電話番号と一致する場合、前記選択手段が停止画像を表すディジタル電気信号を選択しないようにする手段と、
を含む遠隔通信可能なディジタルスチルカメラ。
【請求項２０】
光画像を、停止画像を表すディジタル電気信号に変換する手段と、
画像信号受信機能がある遠隔装置に該当する特定電話番号を少なくとも一つ以上貯蔵する手段と、
電話番号を有する遠隔装置を指定するために無線電話システムによって形成された電磁気信号を伝送する手段と、
停止画像を含む無線電話システムによって形成された電磁気信号で、前記停止画像を表すディジタル電気信号を伝送する手段と、
遠隔装置を指定する電話番号が前記貯蔵された特定電話番号と一致する場合、前記停止画像を表すディジタル電気信号の伝送を許容する手段と、
を含む遠隔通信可能なディジタルスチルカメラ。
【発明の詳細な説明】
【０００１】
【発明の属する技術分野】
本発明は、光画像を停止画像を表すディジタル電気信号に変換し、該ディジタル電気信号を貯蔵するディジタルスチルカメラに関するもので、より詳しく説明すると、無線電話システムによって形成された電磁気信号を利用して遠隔通信できるディジタルスチルカメラに関する。
【０００２】
【従来の技術】
ディジタルスチルカメラ分野に於いて、停止画像を表すディジタル電気信号の通信が様々な形態で提案されて来た。一般的な通信形態としてはディジタルスチルカメラをモデムを通じて無線電話に連結してディジタルスチルカメラにより撮影された停止画像ディジタル電気信号をコンピュータなどの遠隔装置で伝送し、電話線に連結されている遠隔装置が前記信号を受信するものである。
【０００３】
特開平６−１３３０８１号公報と特開平６−２６８５８２号公報に、各々無線電話を一つの分離できないハウジング内に内蔵したディジタルスチルカメラが記載されている。無線電話とディジタルスチルカメラを一つの分離できないハウジング内に結合する目的は、撮影された停止画像ディジタル電気信号を貯蔵するメモリ装置の容量を確保するためである。
【０００４】
すなわち、無線電話システムによって形成された電磁気信号の代わりに停止画像を表すディジタル電気信号を、ディジタルスチルカメラから遠く離れたコンピュータの大容量のメモリ装置に伝送する。
【０００５】
停止画像を表すディジタル電気信号はまた、ディジタルスチルカメラそのものに含められているメモリ装置に貯蔵しなければならない。
【０００６】
従って、ディジタルスチルカメラは、それ自体に大容量のメモリ装置がなくても連続して多数の画面を撮影、貯蔵できるので、小型でまた安いディジタルスチルカメラが製作できる長所がある。
【０００７】
すなわち、前記特開平６−１３３０８１号公報又は特開平６−２６８５８２号公報に開示されたシステムは、受信装置から遠く離れたディジタルスチルカメラによって撮影された停止画像を表すディジタル電気信号を受信するための装置内に大容量のメモリ装置が内蔵されているのが特徴である。
【０００８】
【発明が解決しようとする課題】
本発明の目的は、前述した従来技術とは違って、他のディジタルスチルカメラによって撮影された停止画像を表すディジタル電気信号を受信してディスプレーできる遠隔通信可能なディジタルスチルカメラを提供することである。
【０００９】
すなわち、他のディジタルスチルカメラによって撮影された停止画像を表すディジタル電気信号を受信するように構成され、カメラ自体に大容量のメモリ装置を内蔵する必要がないディジタルスチルカメラを提供する。
【００１０】
本発明の他の目的は、混信なく画像信号と音声信号を適切に受信できる遠隔通信可能なディジタルスチルカメラを提供することである。
【００１１】
また本発明の他の目的は、画像信号と音声信号を同時に通信できる遠隔通信可能なディジタルスチルカメラを提供することである。
【００１２】
また本発明の他の目的は、画像信号の受信機能がない通常のものを含む多様な形態の電話機と通信できる遠隔通信可能なディジタルスチルカメラを提供することである。
【００１３】
また本発明の他の目的は、通常のコンピュータが内蔵された多様な形態の遠隔装置と通信を行うことができる遠隔通信可能なディジタルスチルカメラを提供することである。
【００１４】
【課題を解決するための手段】
これらの目的を達成するため、本発明によるディジタルスチルカメラは、光学画像を停止画像を表すディジタル電気信号に変換する手段と、無線電話システムによって受信された電磁気信号を受信する手段と、この電磁気信号を停止画像を表すディジタル電気信号に変換する手段と、該変換手段から出力されるディジタル電気信号に基づいて停止画像を選択的に表示する手段を含む。
【００１５】
【発明の実施の形態】
本発明の実施例を添付図面を参照に詳しく説明する。
本発明の実施例に従うディジタルスチルカメラは、添付の図１に図示されているように、一つの分離できないハウジング内にマイクロホン２とスピーカー３を含めるディジタル無線電話よりなる。
【００１６】
ディジタルスチルカメラは、電源を貯蔵するための背面照明がない反射形態のカラー液晶表示装置(ＬＣＤ)４を含み、この表示装置４は６０、０００画素の
カラーディジタル画像を表示し、表示装置４上にディジタル無線電話のダイアルボタンとして作用するようにタッチパネルが形成されている。
【００１７】
カメラレンズ５は回転可能で、普通は矢印Ｄの方向に向けられている。即ち、レンズ５は、通常は表示装置４が観察できない所に位置する物体に向けられている。
【００１８】
レンズ５は、点線で示されたように、選択的に、表示装置４が観察できる所に位置した物体に向けることができる。即ち、点線位置でのレンズ５は、表示装置４を観察する使用者に向けられる。
【００１９】
スピーカー３とマイクロホン２は、これに近い使用者の目と耳で各々使用される近接モードと、これから遠く離れた使用者の目と耳で各々使用される遠隔モードのいずれかによって作動する。
【００２０】
手動スイッチ６は、停止画像を表示するために表示装置４を“ＯＮ”に駆動させ、スピーカー３とマイクロホン２は手動スイッチ６によって表示装置４が駆動される場合に自動的に第２モードに可変する。
【００２１】
手動の要請スイッチ７は、画像伝送を要求するためのもので、スイッチ８が作動される場合にペンで画像を入力するように表示装置４上にペン入力タッチパネルが形成される。９はシャッタレリーズボタンである。
【００２２】
図２に於いて、太い線は情報の流れを表し、細い線は制御関係を表す。
【００２３】
添付の図２に示されているように、本発明の実施例によるディジタルスチルカメラの構成は、光画像を停止画像を表すディジタル電気信号に変換させるＣＣＤカメラ１０と、無線電話システムによって形成された電磁気信号を送／受信する送／受信切換部１１と、前記送／受信切換部１１の出力段に連結されて印加される電磁気信号を復調して出力する復調部１２と、該復調部１２の出力段に連結されて印加される電磁気信号を停止画像を表すディジタル電気信号に変換出力するＡ／Ｄコンバータ１３と、該Ａ／Ｄコンバータ１３の出力段に連結されたスイッチング部１５と、前記スイッチング部１５の出力段に連結されて印加される停止画像信号と音声信号を含む電磁気信号から音声信号成分及び画像信号成分を抽出して各々出力する抽出部２２と抽出部２２の出力段に連結されて印加されるディシタル電気信号を貯蔵したり、またはＣＣＤカメラ１０から出力されるディジタル電気信号を貯蔵するメモリ１４と、送／受信切換部１１、復調部１２によって受信された無線電話システムによって形成された電磁気信号に応じて音声信号を生成するスピーカー３と、スピーカー３を近接モードまたは遠隔モードで作動させる第１モード変換部１８と、Ａ／Ｄ変換部１３に出力される電磁気信号から停止画像電磁気信号を区別して前記スイッチング部１５を自動で第１モードから第２モードに制御する第１識別部１６と、該識別部１６の出力段に連結されて受信された信号が画像信号または音声信号を含む信号であるかを表示装置４に表示するように制御する表示制御部２０と、第１識別部１６の出力段に連結されて第２モードでスピーカー３が音声信号を生成しないように第１モード変換部１８を“ＯＦＦ”状態にする第１禁止部１７と、第１禁止部１７の入力段に連結されてスイッチング部１５が第１モードから第２モードに作動されるように選択する手動の要請スイッチ７と、Ａ／Ｄ変換部１３の出力段に連結されて無線電話システムによって形成された電話番号信号を受信する電話番号受信部３８と、Ａ／Ｄ変換部１３の出力段に連結されて伝送される応答信号を受信する応答受信部４０を含めてからなる。
【００２４】
前記のように、他のディジタルカメラから伝送される電磁気信号を受信処理して該当音声信号を出力し、画像信号を表示する構成以外にも、本発明の実施例によるディジタルスチルカメラは、音声を電気音声信号に変換するマイクロホン２と、マイクロホン２の出力段に連結されてマイクロホン２を近接あるいは遠隔モードで作動させる第２モード変換部２１と、メモリ１４の出力段に連結されて印加される電磁気画像信号より画素数が少ない停止画像信号を生成して出力する第１変更部４１と、第１変更部４１と第２モード変換部２１の出力段に連結されて印加される電気音声信号と印加される画像信号を組み合わせて出力する組合部２３と、印加される画像信号とスイッチ８の作動時にペン入力による信号をミックスして出力する第１ミックス部３４と、組合部２３と第１ミックス部３４の出力段に連結されて印加される信号を選択的に出力する選択部２４と、表示装置４上にタッチパネルで形成されたダイアル２８と、少なくとも一つの特定電話番号を貯蔵する電話番号メモリ２９と、ダイアル２８の出力段に連結されてダイヤリングした電話番号と貯蔵された電話番号を比較する第１比較部３０と、第２比較部４７と、第１比較部３０の出力段に連結されてダイヤリングした電話番号が電話番号メモリ２９の特定電話番号に該当する遠隔装置を表す場合に、組合部２３が電気音声信号と停止画像を表すディジタル電気信号を組み合わせないように禁止させる第２禁止部３１と、第２比較部４７の出力段に連結されて第１変更部４１を制御する制御部４３と、メモリ１４の出力段に連結されて印加されるディジタル停止画像信号が第１形態の画像信号であるか第２形態の画像信号であるかを識別してそれによって印加される停止画像信号の画素数を減少させて表示装置４で出力する第２変更部３５と、電話番号受信部３８の出力段に連結されて伝送信号の受信応答信号を出力する応答部３９と、選択部２４と応答部３９とダイアル２８の出力段に連結されて印加される多数の信号をミックスして出力する第２ミックス部２５と、第２ミックス部２５の出力段に連結されて印加される信号をアナログ信号に変換出力するＤ／Ａ変換部２６と、Ｄ／Ａ変換部２６の出力段に連結されて印加される信号を変調して送／受信切換部１１に出力する変調部２７と、第２禁止部３１の入力段に連結された画像伝送要請スイッチ３２をさらに含めてからなる。
【００２５】
第１変更部４１は、メモリ１４から印加される画像信号の画素数を減らせて出力する第１減少部４２を含み、第２変更部３５はメモリ１４から印加される画像信号が第１形態画像信号であるか第２形態画像信号であるかを識別する第２識別部３７と、第２識別部３７の出力段に連結されて印加される信号によって印加される画像信号を減少させて表示装置４で出力する第２減少部３６を含む。
【００２６】
その他にも、カードなどから印加される画像信号をメモリ１４に出力する入出力インタフェース４４とメモリカード４６をさらに含む。
【００２７】
送／受信切換部１１は、電磁気信号を送／受信する機能以外に送受信される電磁気信号を増幅する機能も有する。
【００２８】
入力／出力インタフェース４４は、ディジタルメモリ１４からディジタル電磁気信号を取り出すための手段として作用し、そのものを外部装置に連結するための手段を含む。
【００２９】
メモリカード４６はまた、ディジタルメモリ１４からディジタル電気信号を取り出すための手段として作用し、ディジタルスチルカメラに挿入される。即ち、メモリ用カードスロットがディジタルスチル画像メモリそのものをディジタルスチルカメラ外部から除去するための手段として作用する。
【００３０】
本発明の実施例による遠隔通信可能なディジタルスチルカメラは、添付図３に図示されているように、他の遠隔装置、即ち他のディジタルスチルカメラなどから伝送される停止画像信号及び音声信号を受信して、表示し、あるいは出力する。
【００３１】
また、光画像を電気的な停止画像信号に変換させて他の遠隔装置即ち、他のディジタルスチルカメラなどに伝送し、この時、前記遠隔装置の電話番号がメモリに貯蔵された特定電話番号と一致する場合には、停止画像伝送を禁止し、特定電話番号と一致しない場合に停止画像伝送を許容する。
【００３２】
次に、本発明の実施例によるディジタルスチルカメラの作用を添付図２に図示された多数の構成要素間の関係を通じて詳しく説明する。
【００３３】
まず、他のディジタルスチルカメラから伝送される信号すなわち、無線電話システムによって形成された電磁気画像信号を受信して表示する動作と他の電話機から送信される信号すなわち、無線電話システムによって形成された電磁気音声信号を受信して出力する動作に対して説明する。
【００３４】
添付の図２及び図３に図示されているように、アンテナは他のディジタルスチルカメラまたは電話機などの遠隔装置から伝送される電磁気信号を受信し、この時送／受信切換部１１は受信モードで作動して前記アンテナによって受信された電磁気信号を復調部１２に出力する。
【００３５】
復調部１２は受信された電磁気信号を復調処理して出力し、Ａ／Ｄ変換部１３は復調処理された電磁気信号を該当ディジタル電気信号に変換して出力する。
【００３６】
他の遠隔装置から本発明の実施例によるディジタルスチルカメラを指定する電話番号が前記のようにアンテナ、送／受信切換部１１、復調部１２、そしてＡ／Ｄ変換部１３を通じて電話番号受信部３８に受信されると、応答部３９が通信する意味の第１応答信号を出力し、第１応答信号は、第２ミックス部２５、Ｄ／Ａ変換部２６、変調部２７そして送／受信切換部１１を通じて遠隔装置に送信される。
【００３７】
電話番号受信部３８は、無線電話システムによって形成された電磁気信号に応答して伝送される信号を受信するようにディジタルスチルカメラを自動的に作動させる。
【００３８】
第１応答信号送信によって遠隔装置から停止画像信号を含む電磁気信号が送信されて、前述の動作によって受信処理された後、Ａ／Ｄ変換部１３から出力された信号はスイッチング部１５と第１識別部１６に各々入力される。
【００３９】
前記第１識別部１６は音声信号を含むディジタル電池信号から停止画像信号を識別して自動的に前記スイッチング部１５を第１モードから第２モードに作動するように制御し、第１禁止部１７に該当信号を出力する。
【００４０】
この時、表示制御部２０は第１識別部１６に応じて受信された信号が停止画像信号であるかあるいは音声信号を含む信号であるかを文字または記号で画面上に表示するように表示装置４を作動させる。
【００４１】
スイッチング部１５は、受信された電磁気信号によってスピーカー３によって音声信号を出力させる第１モードと、受信された電磁気信号によって表示装置４上に画像を表示させる第２モードで各々作動する。
【００４２】
本発明の実施例では、ディジタルスチルカメラが自動駆動部１９によって他の遠隔装置から送信される電話番号に応じて送信される停止画像信号を自動に受信するように、第１識別部１６によってスイッチング部１５が自動で第１モードから第２モードに作動される自動モード状態である。
【００４３】
しかし、第１識別部１６によってスイッチング部１５が第１モードから第２モードに自動に作動されない手動モードである場合には手動要請スイッチ７によって前記スイッチング部１５が手動で第１モードから第２モードで作動され、また手動モードである場合に手動スイッチ６によって表示装置４が駆動され、第１、第２モード変換部２１、１８を第１モードから第２モードに変換する。
【００４４】
第１識別部１６によって第２モードで作動された場合に、スイッチング部１５はＡ／Ｄ変換部１３から出力されるディジタル電気信号をメモリ１４に出力する。この時、第１禁止部１７は第１識別部１６から出力される信号によって第２モードでスピーカー３が音声信号を生成しないように第２モード変換部１８を“ＯＦＦ”状態に制御する。
【００４５】
メモリ１４に入力された画像信号は、第２変更部３５を通じて表示装置４に出力される。
【００４６】
前記のように、表示装置４上に画像が表示されて他の遠隔装置と話す場合は、画像信号が伝送される間音声信号が伝送される場合である。かかる場合に停止画像を表すディジタル電気信号と電気音声信号の組み合わせは、無線電話システムによって形成された電磁気信号で受信される。
【００４７】
停止画像信号と音声信号を含む電磁気信号が受信された場合に、第１識別部１６は前記信号から音声信号を識別して前記スイッチング部１５を第１モードに作動するように制御し、前記スイッチング部１５は抽出部２２に前記信号を出力する。
【００４８】
抽出部２２は、前述の信号からスピーカー３を制御するための音声信号成分と表示装置４を制御するための停止画像信号成分を各々抽出する。
【００４９】
この時、第１禁止部１７は第１モード変換部１８を作動させ、抽出部２２によって抽出された音声信号は第１モード変換部１８に出力され、画像信号はメモリ１４に出力される。
【００５０】
音声信号は第１モード変換部１８を通じてスピーカー３によって出力され、メモリ１４に入力された停止画像信号は第２変更部３５によって処理された後、表示装置４上に出力される。
【００５１】
従って、表示装置４が音声信号がスピーカー３から再生される間に停止画像を表示することによって使用者は他の遠隔装置から伝送される画像を見ながら音声を聞けるようになる。
【００５２】
次に、本発明の実施例によるディジタルスチルカメラによって生成された停止画像と音声を他の遠隔装置に送信する場合を説明する。
【００５３】
使用者が表示装置４にタッチパネルで形成されているダイアル２８を作動させて停止画像と音声を伝送しようとする無線電話などの遠隔装置の電話番号を指定すると、指定された電話番号が第２ミックス部２５、Ｄ／Ａ変換部２６、変調部２７、送／受信切換部１１を通じて無線電話システムによって形成された電磁気信号で該当遠隔装置へ送信される。
【００５４】
前記Ｄ／Ａ変換部２６は電話番号に該当するアナログ信号をディジタル信号に変換出力し、前記変調部２７は前記ディジタル信号を変調し、前記送／受信切換部１１が変調された信号を該当遠隔装置に送信する。
【００５５】
この時、前記ダイヤリングした電話番号は第１比較部３０と第２比較部４７に各々入力される。
【００５６】
使用者がメッセージを話すと、使用者のメッセージに該当する音声がマイクロホン２を通じて該当する電気音声信号に変換されて第２モード変換部２１に出力される。
【００５７】
前記第２モード変換部２１は入力された音声信号を組合部２３に出力し、前記組合部２３に入力された音声信号はＤ／Ａ変換部２６と変調部２７とそして送／受信切換部１１を通じて該当遠隔装置に伝送される。
【００５８】
前記組合部２３は音声信号が送信される間ＣＣＤカメラ１０に撮影された停止画像を組合することができるので、音声信号が送信される間停止画像信号を送信することができる。
【００５９】
まず、ＣＣＤカメラ１０に撮影された停止画像信号はメモリ１４に貯蔵され、他の遠隔装置に送信される場合に第１変更部４１に出力される。第１変更部４１に入力された停止画像信号は組合部２３に出力され、前記組合部２３は第２禁止部３１に出力される制御信号によって印加される音声信号及び画像信号を組合して出力する。
【００６０】
より詳しく説明すると、前記第１比較部３０はダイヤリングした電話番号が入力されると、入力された電話番号と電話番号メモリ２９に貯蔵されている特定電話番号を比較してそれに該当する信号を第２禁止部３１に出力する。
【００６１】
前記電話番号メモリ２９は少なくとも一つ以上の停止画像信号を受信しない遠隔装置に該当する第１電話番号を貯蔵しており、または少なくとも一つ以上の停止画像信号を受信する機能を有する遠隔装置に該当する第２電話番号を貯蔵している。
【００６２】
前記第１比較部３０からダイヤリングした電話番号が電話番号メモリ２９に貯蔵された第１電話番号と一致する信号が出力されると、前記第２禁止部３１は前記組合部２３が音声信号と画像信号を組合しないように制御する。
また、前記第２禁止部３１は選択部２４が画像信号を選択出力しないように制御する。
【００６３】
それに反して、前記第１比較部３０をダイヤリングした電話番号が電話番号メモリ２９に貯蔵された第２電話番号と一致する意味の信号を出力すると、前記第２禁止部３１は前記組合部２３が印加される音声信号と停止画像信号を組合するように制御し、また選択部２４が画像信号を選択するように制御する。
【００６４】
かかるように停止画像信号の組合及び選択が許容される場合には、ダイヤリングした電話番号が停止画像信号を受信できる機能を有する遠隔装置に該当する特定電話番号と一致する場合である。
【００６５】
しかし、前記第２禁止部３１は画像送信要請スイッチ３２が作動されると、音声信号と画像信号が組合されるように前記組合部２３及び選択部２４を制御する。
【００６６】
従って、画像送信要請スイッチ３２が作動されたり、ダイヤリングした電話番号が電話番号メモリ２９に貯蔵された第１電話番号と一致しない場合にだけ停止画像信号と音声信号の組合よりなる。
【００６７】
マイクロホン２を通じて入力された音声信号とＣＣＤカメラ１０によって撮影された停止画像信号が組合された組合せ信号はＤ／Ａ変換部２６、変調部２７そして送／受信切換部１１を通じて該当遠隔装置すなわち、停止画像信号を受信できる機能を有する遠隔装置に送信される。
【００６８】
選択部２４は組合部２３から印加される音声信号を含む停止画像信号と第１ミックス部３４から出力される音声信号を含めない停止画像信号の中一つを選択してＤ／Ａ変換部２６へ出力する。
【００６９】
Ｄ／Ａ変換部２６に入力された停止画像信号と音声信号が組合された組合せ信号は第２ミックス部２５、Ｄ／Ａ変換部２６、変調部２７、送／受信切換部１１を通じて他のディジタルスチルカメラへ伝送される。
【００７０】
【発明の効果】
以上の本発明の実施例によってディジタルスチルカメラによって撮影された停止画像を表すディジタル電気信号を受信してディスプレーできる無線電話を一つの分離できないハウジング内に内蔵することによって混信ない画像信号と音声信号を適切に受信でき、また一般的な方式で通話できるだけでなく表示される画像を見ながら通話できる。
また、本発明は画像信号と音声信号を同時に通信でき、画像信号を受信する機能がない通常のものを含む多様な形態の電話機と通信できる。
また本発明は通常のコンピュータが内蔵された多様な形態の遠隔装置と通信できる。
本発明は前記のような多様な効果を有する無線電話を一つの分離できないハウジング内に内蔵させた遠隔通信できるディジタルスチルカメラを提供する。
【図面の簡単な説明】
【図１】本発明の実施例によるディジタルスチルカメラの斜視図である。
【図２】本発明の実施例によるディジタルスチルカメラの構成ブロック図である。
【図３】本発明の実施例によるディジタルスチルカメラの動作概念図である。
【符号の説明】
１０：ＣＣＤカメラ
１２：復調部
２３：組合部
２４：選択部
２６：Ｄ／Ａ変換部
２７：変調部
２９：電話番号メモリ
３０：第１比較部
３１：第２禁止部
３２：画像送信要請スイッチ
４７：第２比較部
【図１】
0004233631.tif 000002
【図２】
0004233631.tif 000003
【図３】
0004233631.tif 000004